(57)【要約】【課題】ケーブルを使用しない簡素な構造で、上枠と引戸とを常時導通させることで、電気錠の常時監視が可能となる引戸用通電装置を得る。【解決手段】上枠３３の案内溝３５内に収容され引戸１５の開閉方向に延在する複数条の平行な帯状導体を有する接触用レール２１と、引戸１５の上部に設けられ上下方向に延在する一対の長穴を有するケース２３と、ケース２３内に設けられ両端が長穴に摺動自在に嵌合して上下方向へ平行移動可能な軸と、軸に貫通されて離間される複数の接触子２７と、軸を上方向へ付勢し接触子２７の上部をケース２３から上方向へ突出させることで突出先端部をそれぞれの帯状導体に押圧する接触子用付勢部材と、電気錠１９とそれぞれの接触子２７とを接続する電気配線３１とを設けた。【選択図】      図１
2007146513.tif 000002
【特許請求の範囲】
【請求項１】
三方枠引戸の上枠から、引戸に設けられた電気錠までの間を導通させる引戸用通電装置であって、
上枠の案内溝内に収容され引戸の開閉方向に延在する複数条の平行な帯状導体を有する接触用レールと、
前記引戸の上部に設けられ上下方向に延在する一対の長穴を有するケースと、
該ケース内に設けられ両端が前記長穴に摺動自在に嵌合して上下方向へ平行移動可能な軸と、
該軸に貫通されて離間される複数の接触子と、
前記軸を上方向へ付勢し該接触子の上部を前記ケースから上方向へ突出させることで突出先端部をそれぞれの前記帯状導体に押圧する接触子用付勢部材と、
前記電気錠とそれぞれの前記接触子とを接続する電気配線と、
を具備したことを特徴とする引戸用通電装置。
【請求項２】
それぞれの前記接触子が前記軸の軸線方向に移動可能に貫通され、かつそれぞれの該接触子が軸線方向付勢部材によって前記軸線方向に付勢されて保持されたことを特徴とする請求項１記載の引戸用通電装置。
【請求項３】
前記接触子が、前記軸を中心に揺動自在になり、前記接触子の突出先端部には、前記軸を挟む一対の接触凸部が形成されたことを特徴とする請求項１又は２記載の引戸用通電装置。
【請求項４】
前記接触用レールには少なくとも一対の帯状導体が平行に配設され、
それぞれの該帯状導体に接触する接触子に、該帯状導体を介して電源電圧と信号電圧とが重畳されて印加されることを特徴とする請求項１，２，３のいずれか１つに記載の引戸用通電装置。
【請求項５】
前記接触用レールが、前記引戸の開閉移動距離より短い所定長さ単位で分割された複数のモジュールレールを連結してなることを特徴とする請求項１，２，３，４のいずれか１つに記載の引戸用通電装置。
【発明の詳細な説明】
【技術分野】
【０００１】
本発明は、移動自在の引戸に取り付けた電気錠等の電気機器に操作電流を建物側の建具枠側から供給する引戸用通電装置に関する。
【背景技術】
【０００２】
従来から、施解錠を電気錠によって行うようにした引戸がある。この種の引戸は、電気錠にリード線を介して給電する関係上、電気錠等の電気機器が建物側である固定建具枠に取り付けられ、受金具が引戸側に取り付けるようになっている。これら装置であっても固定建具枠側に電気錠を取り付ける余裕がある場合は何ら問題はないが、固定建具枠側に取り付ける余裕がない場合には、移動体側の引戸に電気錠を取り付けなければならず、それに伴い固定建具枠側から引戸側に給電する必要が生じる。
【０００３】
引戸のように移動する物体に固定側から給電する引戸用通電装置としては、例えば特許文献１に開示される通電装置がある。この通電装置は、電気錠を備えた引戸の上部又は戸枠の何れか一方に可動接触体を、他方に固定接触体をそれぞれ設け、これら可動接触体と固定接触体とは電気錠、又は電源と接続したリード線と接続し、閉戸時には可動接触体と固定接触体とを接触させ通電可能にすると共に、固定接触体、或いは可動接触体の少なくとも一方を被覆するカバーを可動自在に且つ常時バネなどの付勢力によつて被覆する方向に付勢して設け、閉戸時にカバーが付勢力に抗して移動し、可動接触体と固定接触体とが接触するように構成している。この構成により、電気錠を取り付けた戸を開放しているときには、可動接触体が固定接触体より離間して接触していないことから、上側のリード線を介して固定接触体に加電していても、下側のリード線には通電されないため、施錠することはできない。一方、戸を完全に閉じると、可動接触体が、固定接触体に接触し、上側のリード線及び下側のリード線を介して電気錠に通電可能となり、通電の瞬間に電気錠が施錠される。
【０００４】
また、引戸用通電装置には、特許文献２に開示される給電装置がある。この給電装置は、上枠上部にガイド部材を敷設し、同ガイド部材に案内されて左右摺動する複数のスライダーを設け、引戸に取り付けられた電気錠等の電気機器へ給電するためのケーブルを、引戸の最大移動距離で給電できる長さとし、複数のスライダーにケーブルを固着した構成としている。この構成により、引戸の移動につれてケーブルが牽引され、このケーブルの移動によってスライダーが摺動し、隣接するスライダー間でケーブルが延びたり、弛んだりするので、引戸の開放または閉鎖位置でケーブルが大きく垂れ下がったりせず、スパイラル線のようにコイルの外径が大きくなって、上枠の巾を大きくしなければならないようなことはない。
【０００５】
さらに、引戸用通電装置には、特許文献３に開示される給電装置がある。この給電装置は、ケーブルを介して建具枠側から引戸側の電気機器に直接給電させるに際して、ケーブルを引戸の上框と建具枠の上枠との空間部において折り返して、当該ケーブルの途中に折り返し反転部を形成し、このケーブルの一端側を建具枠側に且つ他端側を引戸側にそれぞれ固定させた構成としている。この構成により、引戸の開閉に伴って、恰も反転部だけが移動するようにケーブルがその折り返しの姿勢を変化させる。すなわち、上框と上枠とに対するケーブルの相対移動を伴わせないで、より具体的には、反転部の設定によっては逆になるが、例えば引戸を開放させる際には、ケーブルを上框の上面から剥がすように、かつ、上枠に対してはケーブルを押し付けるように、恰も反転部だけが順次移動し、引戸を閉じる際にはそれとは逆に、上框に対してはその上面にケーブルを載せかけるように、かつ、上枠に対してはその下面からケーブルを剥がすように、恰も反転部だけが順次移動する。
【特許文献１】実公平３−１２１２８号公報
【特許文献２】実開平７−６４８６号公報
【特許文献３】実開平７−１１８４０号公報
【発明の開示】
【発明が解決しようとする課題】
【０００６】
しかしながら、特許文献１に開示される通電装置は、引戸を閉鎖した時のみに通電を可能とする構成であるため、引戸の開状態の検出と、信号線の断線との区別がつかない問題があった。また、端子数が多いため、薄厚の引戸には対応が困難となった。また、特許文献２に開示される給電装置は、複数の配線を太い１本のケーブルとし、弛ませて接続するため、大きな収容スペースを例えば建物壁側等に確保しなければならず、装置が大型化するとともに、引戸の開閉力を増大させてしまう問題もあった。さらに、特許文献３に開示される給電装置は、リボンケーブルをＵ字状に折り曲げて接続するため、経年劣化によってリボンケーブルが破損や断線し易く、かつ大きな収容スペースを確保しなければならず、装置が大型化するとともに、引戸の開閉力を増大させてしまい、これに加えて構造も複雑となる問題があった。また、特許文献２，特許文献３に開示される給電装置は、引戸にケーブルが接続されるため、引戸の取り外しが容易に行えなくなり、メンテナンス性も低下する問題があった。
【０００７】
本発明は上記状況に鑑みてなされたもので、ケーブルを使用しない簡素な構造で、建物側の上枠と引戸とを常時導通させることで、電気錠の常時監視が可能となり、しかも、開閉力を増大させない引戸用通電装置を提供し、もって、引戸開放状態と断線との検出を可能にし、開閉操作性、後付施工性、メンテナンス性の向上を図ることを目的とする。
【課題を解決するための手段】
【０００８】
次に、上記の課題を解決するための手段を、実施の形態に対応する図面を参照して説明する。
本発明の請求項１記載の引戸用通電装置１００は、三方枠引戸１５の上枠３３から、引戸１５に設けられた電気錠１９までの間を導通させる引戸用通電装置１００であって、
上枠３３の案内溝３５内に収容され引戸１５の開閉方向に延在する複数条の平行な帯状導体３７を有する接触用レール２１と、
前記引戸１５の上部に設けられ上下方向に延在する一対の長穴４３を有するケース２３と、
該ケース２３内に設けられ両端が前記長穴４３に摺動自在に嵌合して上下方向へ平行移動可能な軸２５と、
該軸２５に貫通されて離間される複数の接触子２７と、
前記軸２５を上方向へ付勢し該接触子２７の上部を前記ケース２３から上方向へ突出させることで突出先端部をそれぞれの前記帯状導体３７に押圧する接触子用付勢部材２９と、
前記電気錠１９とそれぞれの前記接触子２７とを接続する電気配線３１と、
を具備したことを特徴とする。
【０００９】
この引戸用通電装置１００では、引戸１５の開閉位置にかかわらず接触子２７が常に接触用レール２１の帯状導体３７に接触し、常時電気錠１９と通電状態とすることが可能となる。また、大径ケーブルやリボンケーブルを採用せずに、簡素な構造が可能となる。さらに、引戸１５の簡単な取り外しが可能となるとともに、牽引負荷の発生することもない。また、接触子２７が接触子用付勢部材２９によって常に帯状導体３７に押圧接触されて、引戸開閉時においても、安定した接触が可能となる。なお、複数の帯状導体３７を、それぞれに収容するように、接触用レール２１に凹溝を形成することとしても良い。
【００１０】
請求項２記載の引戸用通電装置１００は、それぞれの前記接触子２７が前記軸２５の軸線方向に移動可能に貫通され、かつそれぞれの該接触子２７が軸線方向付勢部材４７によって前記軸線方向に付勢されて保持されたことを特徴とする。
【００１１】
この引戸用通電装置１００では、接触子２７を引戸厚み方向の最適位置に常に配置することが可能となる。
【００１２】
請求項３記載の引戸用通電装置１００は、前記接触子２７が、前記軸２５を中心に揺動自在になり、前記接触子２７の突出先端部には、前記軸２５を挟む一対の接触凸部２７ａが形成されたことを特徴とする。
【００１３】
この引戸用通電装置１００では、引戸１５が開閉動作時に、前転方向或いは後転方向に微動しても、接触子２７が軸２５を中心に揺動することで、軸２５を挟んで設けられた一対の接触凸部２７ａのいずれかが帯状導体３７に接触することとなる。
【００１４】
請求項４記載の引戸用通電装置１００は、前記接触用レール２１には少なくとも一対の帯状導体３７が平行に配設され、
それぞれの該帯状導体３７に接触する接触子２７に、該帯状導体３７を介して電源電圧と信号電圧とが重畳されて印加されることを特徴とする。
【００１５】
この引戸用通電装置１００では、薄厚の引戸１５をガイドする上枠３３の案内溝３５においても、所要一定幅の帯状導体３７を、例えば２本一対としてこれらを並設して、電源及び複数制御信号の同時接続、すなわち電源供給，信号送受が可能となる。
【００１６】
請求項５記載の引戸用通電装置１００は、前記接触用レール２１が、前記引戸１５の開閉移動距離より短い所定長さ単位で分割された複数のモジュールレール２１ａを連結してなることを特徴とする。
【００１７】
この引戸用通電装置１００では、多種の開口間口幅長の引戸に対応可能となり、部品管理も一種のモジュールレール２１ａを数量管理すれば良くなる。
【発明の効果】
【００１８】
本発明に係る請求項１記載の引戸用通電装置によれば、上枠の案内溝内に収容され帯状導体を有する接触用レールと、一対の長穴を有するケースと、長穴に嵌合して上下方向へ平行移動可能な軸と、軸に貫通されて離間される複数の接触子と、軸を付勢して接触子の突出先端部を帯状導体に押圧する接触子用付勢部材とを具備したので、引戸の開閉位置にかかわらず接触子が常に接触用レールの帯状導体に接触し、常時電気錠と通電状態とすることができ、フルタイムで電気錠を監視可能にして、開放状態と断線との区別も可能にすることができる。また、上枠の案内溝内に接触用レールを設け、引戸の上部に接触子を有するケースを取り付ければ良く、大径ケーブルやリボンケーブルを採用せずに、構造を簡素にすることができ、電気錠の後付工事を容易に実現させることができる。さらに、引戸と三方枠とが大径ケーブルやリボンケーブルとで接続されないので、引戸を簡単に取り外しできるとともに、メンテナンス性も高めることができ、かつ牽引負荷を生じさせずに済み、引戸の開閉負荷の増大を抑止することもできる。また、接触子が接触子用付勢部材によって常に帯状導体に押圧接触されるので、引戸開閉時においても、安定した信頼性の高い接触状態を実現することができる。
【００１９】
請求項２記載の引戸用通電装置によれば、それぞれの接触子が軸の軸線方向に移動可能に貫通され、かつそれぞれの接触子が軸線方向付勢部材によって軸線方向に付勢されて保持されたので、接触子を引戸厚み方向の最適位置に常に配置することが可能となり、引戸開閉時においても、安定した信頼性の高い接触状態を実現することができる。
【００２０】
請求項３記載の引戸用通電装置によれば、接触子が、軸を中心に揺動自在になり、接触子の突出先端部には、軸を挟む一対の接触凸部が形成されたので、引戸が開閉動作時に、前転方向或いは後転方向に微動しても、接触子が軸を中心に揺動することで、軸を挟んで設けられた一対の接触凸部のいずれかが帯状導体に接触することとなり、接触子を帯状導体へ確実に接触させることができる。
【００２１】
請求項４記載の引戸用通電装置によれば、接触用レールには少なくとも一対の帯状導体が平行に配設され、それぞれの帯状導体に接触する接触子に、帯状導体を介して電源電圧と信号電圧とが重畳されて印加されるので、薄厚の引戸をガイドする上枠の案内溝においても、所要一定幅の帯状導体を並設することができ、電源及び複数制御信号の同時接続を、薄厚の引戸においても実現可能にすることができる。
【００２２】
請求項５記載の引戸用通電装置によれば、接触用レールが、引戸の開閉移動距離より短い所定長さ単位で分割された複数のモジュールレールを連結してなるので、多種の開口間口長の引戸に対応することができ、一種のモジュールレールを数量管理すれば良く、部品管理を容易にすることができる。
【発明を実施するための最良の形態】
【００２３】
以下、本発明に係る引戸用通電装置の好適な実施の形態を図面を参照して詳細に説明する。
図１は本発明に係る引戸用通電装置の全体を正面視で表した概略構成図、図２は図１に示した引戸用通電装置の分解斜視図、図３は図１のＩ−Ｉ断面図、図４は図３のII−II断面図、図５は図４のIII −III 断面図である。
本実施の形態による引戸用通電装置１００は、建物開口１１に設けられた三方枠１３と、この三方枠１３に開閉自在に設けられた引戸１５とに亘って備えられる。引戸１５には、三方枠１３の縦枠１７に対し電気信号の入力によって施解錠を可能とする電気錠１９が設けられている。なお、この電気錠１９は、縦枠１７に設けられた不図示のマグネット等によってオン・オフする近接センサを備え、引戸１５の開閉状態が検出できるようになっている構成としてもよい。
【００２４】
引戸用通電装置１００は、接触用レール２１と、ケース２３と、軸２５と、接触子２７と、接触子用付勢部材２９と、電気配線３１とを主要な構成部材として有している。接触用レール２１は、上枠３３の案内溝３５内に収容され、引戸１５の開閉方向に延在する複数条、本実施の形態では２条の平行な帯状導体３７，３７を有している。帯状導体３７は、接触用レール２１の下面に形成された２条の凹溝内にそれぞれ設けられ、例えば貼着される。したがって、一対の帯状導体３７、３７は、隔壁３９によって仕切られている。これにより、絶縁距離が長く確保され、埃等の付着による短絡が防止されるようになっている。
【００２５】
接触用レール２１は、図５に示すように、例えば木ねじ４１等によって上枠３３に固定される。接触用レール２１は、引戸１５の開閉移動距離より短い所定長さ単位で分割された複数のモジュールレール２１ａを連結してなる。モジュールレール２１ａは、例えば４５ｃｍ程度の長さに形成される。このように、接触用レール２１は、複数のモジュールレール２１ａを直列に連結してなるので、多種の開口間口長の引戸１５に対応することができ、一種のモジュールレール２１ａを数量管理すれば良く、部品管理を容易にすることができるようになっている。
【００２６】
なお、接触用レール２１は、後付施工性を考慮してできるだけ薄厚に形成することが好ましい。薄厚に形成する手段としては、例えばフィルム状基材に、導電性テープで形成した帯状導体３７を貼着することが挙げられる。このような構成とすることで、数ミリ厚で接触用レール２１を形成することができ、既存の三方枠１３と引戸１５との納まり寸法を変更することなく、引戸用通電装置１００の後づけ施工が可能となる。すなわち既設の引戸構造に対して電気錠を追加施工可能となる。
【００２７】
それぞれの帯状導体３７にはリード線Ｌ１が接続され、リード線Ｌ１はコネクタＣ１を介して不図示の建物側の制御盤から配線された制御配線Ｌ２に接続される。
【００２８】
ケース２３は、引戸１５の上部に内蔵され、両側面に、上下方向に延在する一対の長穴４３，４３を有している。ケース２３は、図２に示すように、引戸１５の上端面１５ａに形成された収容凹部４５に挿入され、上面の取付板２３ａが上端面１５ａにビス固定される。
【００２９】
軸２５は、両端が長穴４３，４３に摺動自在に嵌合され、ケース２３内において上下方向へ平行移動可能に支持される。この軸２５は、複数、本実施の形態では２つの板状の接触子２７、２７を貫通している。つまり、接触子２７、２７は、離間した状態で軸２５に、回転自在かつ軸線方向に可動可能に支持されている。この接触子２７は、導電性金属からなる。
【００３０】
ケース２３と軸２５との間には接触子用付勢部材２９が配設され、接触子用付勢部材２９は軸２５を上方向へ付勢している。接触子用付勢部材２９によって上方向へ付勢された軸２５は、接触子２７の上部をケース２３から上方向へ突出させる。上方へ突出した接触子２７の突出先端部は、帯状導体３７に押圧される。
【００３１】
軸２５には、コイルスプリング等からなる軸線方向付勢部材４７が外挿され、軸線方向付勢部材４７はそれぞれの接触子２７を軸２５の軸線方向に付勢している。このように、それぞれの接触子２７が軸２５の軸線方向に移動可能に貫通され、かつそれぞれの接触子２７が軸線方向付勢部材４７によって軸線方向に付勢されて保持されているので、接触子２７を引戸厚み方向の最適位置に常に配置することが可能となり、引戸開閉時においても、安定した信頼性の高い接触状態を実現することができるようになっている。
【００３２】
接触子２７は、軸２５を中心に揺動自在になり、接触子２７の突出先端部には、軸２５を挟む一対の接触凸部２７ａ，２７ａが形成されている。すなわち、接触子２７は、側面視で略ハート形状に形成されている。このように、接触子２７の突出先端部に、軸２５を挟む一対の接触凸部２７ａが形成されたので、引戸１５が開閉動作時に、前転方向或いは後転方向に微動しても、接触子２７が軸２５を中心に揺動することで、軸２５を挟んで設けられた一対の接触凸部２７ａ，２７ａのいずれかが帯状導体３７に接触することとなり、接触子２７を帯状導体３７へ確実に接触させることができる。
【００３３】
接触子２７には電気配線３１であるリード線Ｌ３が接続され、リード線Ｌ３はコネクタＣ２を介してケース２３からの電気配線３１である出入力配線Ｌ４に接続されている。
【００３４】
本実施の形態では、接触用レール２１には一対の帯状導体３７が平行に配設され、それぞれの帯状導体３７に接触する接触子２７に、帯状導体３７を介して電源電圧と信号電圧とが重畳されて印加される。このため、薄厚の引戸１５をガイドする上枠３３の案内溝３５においても、所要一定幅の帯状導体３７を並設して、電源及び複数制御信号の同時接続、すなわち電源供給と信号送受が可能となる。このように、接触用レール２１には一対の帯状導体３７、３７が平行に配設され、それぞれの帯状導体３７に接触する接触子２７に、帯状導体３７を介して電源電圧と信号電圧とが重畳されて印加されるので、薄厚の引戸１５をガイドする上枠３３の案内溝３５においても、所要一定幅の帯状導体３７を並設することができ、電源及び複数制御信号の同時接続を、薄厚の引戸１５においても実現可能にすることができる。さらには、引戸１５が複数枚で構成される場合に、各引戸１５の案内溝３５内にそれぞれ接触用レール２１を配設して、引戸１５のそれぞれに電気錠１９を配設構成することも可能となる。
【００３５】
上記のように構成された引戸用通電装置の作用を説明する。
引戸１５は、上部を上枠３３の案内溝３５に挿入して三方枠１３内に取り付けられる。引戸１５の上部が案内溝３５に挿入されると、接触子２７の接触凸部２７ａが帯状導体３７に接触し、帯状導体３７からの反力によって、接触子用付勢部材２９の付勢力に抗してケース２３内に押し込められることとなる。これにより、接触子２７は、接触子用付勢部材２９による付勢力で、常時、帯状導体３７に押圧された状態で接触する。
【００３６】
引戸１５に設けられた電気錠１９には、帯状導体３７と接触子２７とを介して制御盤からの電源電圧と信号電圧が印加される。電気錠１９に印加される信号としては、開閉検知信号、断線検知信号、施錠検知信号、解錠検知信号、デッドボルト出入状態検知信号等が挙げられる。
【００３７】
引戸用通電装置１００では、引戸１５の開閉位置にかかわらず接触子２７が常に接触用レール２１の帯状導体３７に接触し、常時電気錠１９と通電状態とすることが可能となる。また、大径ケーブルやリボンケーブルを採用せずに、簡素な構造が可能となる。さらに、引戸１５の簡単な取り外しが可能になるとともに、牽引負荷の発生することもない。また、接触子２７が接触子用付勢部材２９によって常に帯状導体３７に押圧接触されて、引戸開閉時においても、安定した接触が可能となる。
【００３８】
したがって、本実施の形態による引戸用通電装置によれば、上枠３３の案内溝３５内に収容され帯状導体３７を有する接触用レール２１と、一対の長穴４３，４３を有するケース２３と、長穴４３，４３に嵌合して上下方向へ平行移動可能な軸２５と、軸２５に貫通されて離間される複数の接触子２７と、軸２５を付勢して接触子２７の突出先端部を帯状導体３７に押圧する接触子用付勢部材２９とを具備したので、引戸１５の開閉位置にかかわらず接触子２７が常に接触用レール２１の帯状導体３７に接触し、常時電気錠と通電状態とすることができ、フルタイムで電気錠１９を監視可能にして、開放状態と断線との区別も可能にすることができる。
【００３９】
また、上枠３３の案内溝３５内に接触用レール２１を設け、引戸１５の上部に接触子２７を有するケース２３を取り付ければ良く、大径ケーブルやリボンケーブルを採用せずに、構造を簡素にすることができ、電気錠１９の後付工事を容易に実現させることができる。
【００４０】
さらに、引戸１５と三方枠１３とが大径ケーブルやリボンケーブルとで接続されないので、引戸１５を簡単に取り外しできるとともに、メンテナンス性も高めることができ、かつ牽引負荷を生じさせずに済み、引戸１５の開閉負荷の増大を抑止することもできる。
【００４１】
また、接触子２７が接触子用付勢部材２９によって常に帯状導体３７に押圧接触されるので、引戸開閉時においても、安定した信頼性の高い接触状態を実現することができる。
【図面の簡単な説明】
【００４２】
【図１】本発明に係る引戸用通電装置の全体を正面視で表した概略構成図である。
【図２】図１に示した引戸用通電装置の分解斜視図である。
【図３】図１のＩ−Ｉ断面図である。
【図４】図３のII−II断面図である。
【図５】図４のIII −III 断面図である。
【符号の説明】
【００４３】
１３…三方枠
１５…引戸
１９…電気錠
２１…接触用レール
２１ａ…モジュールレール
２３…ケース
２５…軸
２７…接触子
２７ａ…接触凸部
２９…接触子用付勢部材
３１…電気配線
３３…上枠
３５…案内溝
３７…帯状導体
４３…長穴
４７…軸線方向付勢部材
１００…引戸用通電装置
【図１】
2007146513.tif 000003
【図２】
2007146513.tif 000004
【図３】
2007146513.tif 000005
【図４】
2007146513.tif 000006
【図５】
2007146513.tif 000007